(57)【要約】      （修正有）【課題】発光面に対する外的負荷の直接的作用を防いで照明装置の早期劣化を防止し、かつ、全体輪郭形状をコンパクト化して搬送や保管における低コスト化を可能としつつ、さらに、省エネ化のニーズにも対応可能な投光機を提供する。【解決手段】起伏および伸縮可能に構成された支柱４と、支柱の先端に設けられた照明装置６と、照明装置を発光させる際に要する電力を発生させるバッテリＥと、自動的に始動してバッテリを充電する発電機Ｖと、発電機とバッテリとの相対的な高低差に応じて構成される凹所領域３４とを有し、支柱を最も縮めて基台２に沿って伏せた姿勢とした状態において、凹所領域に照明装置を収容し、基台と伏せた姿勢の支柱との間の領域内に、照明装置、発電機、バッテリを介在させる。【選択図】図１
0003189159.tif 000002
【実用新案登録請求の範囲】
【請求項１】
基端が基台に対して回転可能に支持されていることで、基台から起立した姿勢と基台に沿って伏せた姿勢とに起伏可能に構成され、かつ、基台から起立した姿勢において伸縮可能に構成された支柱と、
支柱の先端に設けられ、所望方向に発光可能な照明装置と、
支柱を起伏および伸縮させる際に要する電力のみならず、照明装置を発光させる際に要する電力をも発生させるバッテリと、
バッテリの蓄電量が低下した際に、自動的に始動してバッテリを充電する発電機と、
基台上において、発電機とバッテリとを互いに並列させて配置し、かつ、相対的に高低差を持たせた構造とすることで、その高低差に応じて構成される凹所領域とを有し、
支柱を最も縮めて基台に沿って伏せた姿勢とした状態において、当該凹所領域に照明装置が収容されることで、基台と伏せた姿勢の支柱との間の領域内に沿って、照明装置、発電機、バッテリを介在させることを可能にした構造であることを特徴とする投光機。
【請求項２】
バッテリから発生した電力を照明装置に供給するためのケーブルを巻回して保持するリールを有しており、
リールは、その全体が、基台と伏せた姿勢の支柱との間の領域内に位置付けられるように、支柱に対して回転可能に取り付けられていることを特徴とする請求項１に記載の投光機。
【請求項３】
支柱を最も縮めて基台に沿って伏せた姿勢とした際に、凹所領域に照明装置が収容された状態において、当該照明装置の発光面は、外部に露出することなく、かつ、基台側に向けて位置付けられ、これにより、当該照明装置の発光面に外的負荷がダイレクトに作用するのが防止されていることを特徴とする請求項１又は２に記載の投光機。
【請求項４】
支柱を最も縮めて基台に沿って伏せた姿勢とした際に、凹所領域に照明装置が収容された状態において、その状態で当該支柱の姿勢を保持するための保持台を有しており、
保持台は、発電機とバッテリとの間の基台上に配設されていることを特徴とする請求項１〜３のいずれかに記載の投光機。
【請求項５】
照明装置は、複数灯のＬＥＤライトから構成されており、当該ＬＥＤライトは、その明るさを複数段階に調整することが可能であるとともに、その発光方向を所望角度に調整することが可能であることを特徴とする請求項１〜４のいずれかに記載の投光機。
【請求項６】
支柱を起伏および伸縮させる際の操作、並びに、照明装置を発光させる際の操作を行うための操作パネルを有しており、
操作パネルは、投光機を搬送車両に搭載した状態で操作可能な位置に設けられていることを特徴とする請求項１〜５のいずれかに記載の投光機。
【考案の詳細な説明】
【技術分野】
【０００１】
本考案は、例えばトンネル工事や夜間の街中工事などの工事現場はじめ、駐車場や運動場、イベント会場などにおいて、最適な照明を行うことが可能な投光機に関する。
【背景技術】
【０００２】
従来、この種の投光機としては、例えば特許文献１,２（発明の名称：投光機）などに示されているように、基台上に伸縮自在に設けられた支柱と、支柱の先端に設けられた照明装置とを備えたものが知られている。かかる投光機は、支柱を伸縮させて照明装置の高さを調整することで、使用環境や使用目的に応じた照明を行うことができるようになっている。
【先行技術文献】
【特許文献】
【０００３】
【特許文献１】特開２０００−３２２９２５号公報
【特許文献２】特開平１１−３６１４号公報
【考案の概要】
【考案が解決しようとする課題】
【０００４】
ところで、上記した従来の投光機において、支柱は、基台に対して垂直方向に伸縮させるだけの構造であり、さらに、その支柱の先端に照明装置が設けられているため、当該支柱を最も縮めた状態であっても、投光機全体の輪郭は、垂直方向に立ち上げられた支柱の先端から、さらに照明装置が大きく出っ張った形状を成すこととなる。
【０００５】
ここで、従来の投光機の搬送および保管について考察すると、いずれの場合も、支柱を最も縮めた状態で行われることになるが、その状態において、支柱の先端から照明装置が大きく出っ張ったものとなる当該投光機の形状を考慮すると、垂直方向のスペースを十分に確保することができるような大型の搬送車両および広範な保管場所が必要となる。そうなると、搬送車両の大型化および保管場所の広範化した分だけ、当該搬送や保管に要するコストが上昇してしまう。
【０００６】
この場合、投光機自体のコンパクト化（小型化）が実現できれば、搬送および保管に要するコストの上昇を抑えることができるところ、垂直方向に出っ張り形状を成す従来の投光機の構造上、そのコンパクト化（小型化）には一定の限界があるため、搬送および保管に要するコストの上昇を抑えることができない。
【０００７】
また、上記した従来の投光機では、搬送および保管の際において、照明装置は、投光時の姿勢のままに維持されるため、その発光面（光を発生させる光源に対向した面）は、常時外部に対して露出された（晒された）状態にある。かかる状態によれば、照明装置の発光面に対して、外的負荷がダイレクト（直接的）に作用し得る状態となる。
【０００８】
このとき、例えば、投光機の搬送および保管の際に、発光面が他の部位（部材）に接触（当接）し易くなり、その接触（当接）時における外力（圧力）の程度によっては、当該発光面が傷付いたり、壊れたりする場合が想定される。そうすると、照明装置が早期に劣化することで、最適な照明を行うことが困難になってしまうだけでなく、当該投光機を長期に亘って連続して使用し続けることが困難になってしまう。
【０００９】
さらに、上記した従来の投光機は、例えば発電機などのエンジンを稼働させて照明装置から発光させるエンジン投光機が一般的であるが、当該エンジン投光機は燃料代がかさむため、昨今の省エネ化のニーズに応えることができない。
【００１０】
本考案は、このような課題を解決するためになされており、その目的は、照明装置の発光面に外的負荷がダイレクト（直接的）に作用するのを防ぐことで、照明装置の早期劣化を防止して長期に亘る連続使用を可能とし、かつ、全体の輪郭形状をコンパクト化（小型化）することで、搬送や保管における低コスト化を可能としつつ、さらに、省エネ化のニーズにも対応可能な投光機を提供することにある。
【課題を解決するための手段】
【００１１】
このような目的を達成するために、本考案の投光機は、基端が基台に対して回転可能に支持されていることで、基台から起立した姿勢と基台に沿って伏せた姿勢とに起伏可能に構成され、かつ、基台から起立した姿勢において伸縮可能に構成された支柱と、支柱の先端に設けられ、所望方向に発光可能な照明装置と、支柱を起伏および伸縮させる際に要する電力のみならず、照明装置を発光させる際に要する電力をも発生させるバッテリと、バッテリの蓄電量が低下した際に、自動的に始動してバッテリを充電する発電機と、基台上において、発電機とバッテリとを互いに並列させて配置し、かつ、相対的に高低差を持たせた構造とすることで、その高低差に応じて構成される凹所領域とを有し、支柱を最も縮めて基台に沿って伏せた姿勢とした状態において、当該凹所領域に照明装置が収容されることで、基台と伏せた姿勢の支柱との間の領域内に沿って、照明装置、発電機、バッテリを介在させることを可能にした構造である。
本考案において、バッテリから発生した電力を照明装置に供給するためのケーブルを巻回して保持するリールを有しており、リールは、その全体が、基台と伏せた姿勢の支柱との間の領域内に位置付けられるように、支柱に対して回転可能に取り付けられている。
本考案において、支柱を最も縮めて基台に沿って伏せた姿勢とした際に、凹所領域に照明装置が収容された状態において、当該照明装置の発光面は、外部に露出することなく、かつ、基台側に向けて位置付けられ、これにより、当該照明装置の発光面に外的負荷がダイレクトに作用するのが防止されている。
本考案において、支柱を最も縮めて基台に沿って伏せた姿勢とした際に、凹所領域に照明装置が収容された状態において、その状態で当該支柱の姿勢を保持するための保持台を有しており、保持台は、発電機とバッテリとの間の基台上に配設されている。
本考案において、照明装置は、複数灯のＬＥＤライトから構成されており、当該ＬＥＤライトは、その明るさを複数段階に調整することが可能であるとともに、その発光方向を所望角度に調整することが可能である。
本考案において、支柱を起伏および伸縮させる際の操作、並びに、照明装置を発光させる際の操作を行うための操作パネルを有しており、操作パネルは、投光機を搬送車両に搭載した状態で操作可能な位置に設けられている。
【考案の効果】
【００１２】
本考案によれば、照明装置の発光面に外的負荷がダイレクト（直接的）に作用するのを防ぐことで、照明装置の早期劣化を防止して長期に亘る連続使用を可能とし、かつ、全体の輪郭形状をコンパクト化（小型化）することで、搬送や保管における低コスト化を可能としつつ、さらに、省エネ化のニーズにも対応可能な投光機を実現することができる。
【図面の簡単な説明】
【００１３】
【図１】（ａ）は、本考案の一実施形態に係る投光機の搬送時および保管時における姿勢を示す側面図、（ｂ）は、同図（ａ）に示された投光機の構成を示す斜視図。
【図２】本考案の一実施形態に係る投光機の投光（照明）時における姿勢を示す斜視図。
【考案を実施するための形態】
【００１４】
以下、本考案の一実施形態に係る投光機について、添付図面を参照して説明する。
本考案の投光機は、例えばトンネル工事や夜間の街中工事などの工事現場はじめ、駐車場や運動場、イベント会場などの適所に安定して設置することができるように、矩形状の枠体構造を成す基台上に、投光機を構成するための各種部材が構築されている。以下、その一実施形態について具体的に説明する。
【００１５】
図１および図２に示すように、本実施形態の投光機は、基端４ｅが基台２に対して回転可能に支持されていることで、基台２から起立した姿勢と基台２に沿って伏せた姿勢とに起伏可能に構成され、かつ、基台２から起立した姿勢において伸縮可能に構成された支柱４と、支柱４の先端４ｔに設けられ、所望方向に発光可能な照明装置６とを有している。
【００１６】
＜支柱４について＞
支柱４は、下部ブーム４ａと、上部ブーム４ｂと、これら２つの下部および上部ブーム４ａ,４ｂの間に複数の中間ブーム（図面では一例として、２つの第１および第２中間ブーム４ｃ,４ｄ）とを備えて構成されており、上部ブーム４ｂが第１中間ブーム４ｃに沿って突没可能に構成され、第１中間ブーム４ｃが第２中間ブーム４ｄに沿って突没可能に構成され、第２中間ブーム４ｄが下部ブーム４ａに沿って突没可能に構成されている。
【００１７】
かかる構成によれば、上部ブーム４ｂを第１中間ブーム４ｃ内に没入させるとともに、第１中間ブーム４ｃを第２中間ブーム４ｄ内に没入させ、そして、上部ブーム４ｂおよび第１中間ブーム４ｃを没入させた第２中間ブーム４ｄを下部ブーム４ａ内に没入させることで、支柱４を最も縮めることができる（図１(ａ),(ｂ)参照）。これに対して、下部ブーム４ａから第２中間ブーム４ｄを突出させるとともに、第２中間ブーム４ｄから第１中間ブーム４ｃを突出させ、そして、第１中間ブーム４ｃから上部ブーム４ｂを突出させることで、支柱４を最も伸ばすことができる（図２参照）。
【００１８】
また、支柱４は、その基端４ｅが基台２に対して回転可能に支持されているが、その支持方法の一例として、図面には、支柱４（具体的には、下部ブーム４ａ）の基端４ｅに回転軸８を設けるとともに、この回転軸８を軸受１０で回転可能に支持しつつ、当該軸受１０を、基台２上に構築された支持フレーム１２に取り付ける方法が示されている。
【００１９】
かかる支持方法によれば、上記した支柱４は、回転軸８の回転中心Ａｘ３回りに、矢印Ｔ１,Ｔ２方向に旋回可能となり、矢印Ｔ１方向に旋回させることで基台２から起立した姿勢（図２参照）と、矢印Ｔ２方向に旋回させることで基台２に沿って伏せた姿勢（図１(ａ),(ｂ)参照）とに起伏可能に構成されている。
【００２０】
ここで、支柱４を起伏させる方法の一例として、図面には、既存の起伏シリンダ１４を伸縮させることで、支柱を矢印Ｔ１,Ｔ２方向に旋回させる方法が示されている。なお、起伏シリンダ１４は、基端が基台２に回転自在に取り付けられたチューブ１４ａと、チューブ１４ａの先端から突没可能に構成されたロッド１４ｂ（図２参照）とを備えており、ロッド１４ｂの先端は、支柱４（具体的には、下部ブーム４ａ）の基端４ｅと先端４ｔとの間の部位（換言すると、回転軸８よりも先端寄りの部位：図１(ａ)参照）に回転自在に取り付けられている。
【００２１】
この場合、チューブ１４ａ内の蓄圧室（図示しない）を加圧または減圧して、ピストン（図示しない）を往復動作させることで、当該ピストンの動作に伴ってロッド１４ｂをチューブ１４ａの先端から突没させることができる。なお、チューブ１４ａ内の蓄圧室に対する加圧・減圧は、所定の加圧減圧装置（図示しない）からの圧力作用によって成されるが、このときの圧力制御は、後述する操作パネルＰを操作し、バッテリＥから当該加圧減圧装置に電力を供給することによって行われる。
【００２２】
かかる起伏シリンダ１４によれば、チューブ１４ａからロッド１４ｂを突出させて当該起伏シリンダ１４を伸ばすことで、支柱４を、回転軸８の回転中心Ａｘ３回りに矢印Ｔ１方向に旋回させて基台２から起立した姿勢（図２参照）にすることができる。これに対して、チューブ１４ａにロッド１４ｂを没入させて当該起伏シリンダ１４を縮めることで、支柱４を、回転軸８の回転中心Ａｘ３回りに矢印Ｔ２方向に旋回させて基台２に沿って伏せた姿勢（図１(ａ),(ｂ)参照）にすることができる。
【００２３】
更に、支柱４は、基台２から起立した姿勢において伸縮可能に構成されているが、その伸縮方法の一例として、図面には、伸縮シリンダ１６と滑車機構１８とからなる伸縮構造によって支柱４を矢印Ｓ１,Ｓ２方向に伸縮させる方法が示されている（図１(ａ),(ｂ)参照）。
【００２４】
伸縮シリンダ１６は、基端が支柱４（具体的には、下部ブーム４ａ）の基端側に回転自在に取り付けられたチューブ１６ａと、チューブ１６ａの先端から突没可能に構成されたロッド１６ｂ（図１(ｂ)参照）とを備えており、ロッド１６ｂの先端は、第２中間ブーム４ｄの先端に回転自在に取り付けられている。
【００２５】
この場合、チューブ１６ａ内の蓄圧室（図示しない）を加圧または減圧して、ピストン（図示しない）を往復動作させることで、当該ピストンの動作に伴ってロッド１６ｂをチューブ１６ａの先端から突没させることができる。なお、チューブ１６ａ内の蓄圧室への加圧・減圧は、所定の加圧減圧装置（図示しない）からの圧力作用によって成されるが、このときの圧力制御は、後述する操作パネルＰを操作し、バッテリＥから当該加圧減圧装置に電力を供給することによって行われる。
【００２６】
また、滑車機構１８は、例えば、第２中間ブーム４ｄの先端に回転自在に設けられた第１滑車２０（図１(ａ)参照）と、第１中間ブーム４ｃの基端に回転自在に設けられた第２滑車（図示しない）と、第１中間ブーム４ｃの先端に回転自在に設けられた第３滑車２２（図１(ａ)参照）と、上部ブーム４ｂの基端から第３滑車２２および第２滑車（図示しない）をジグザグに経由して第１滑車２０に連続したワイヤ・チェーン（図示しない）とを備えている。
【００２７】
かかる伸縮構造によれば、支柱４を起立させた姿勢（図２参照）において、伸縮シリンダ１６のチューブ１６ａからロッド１６ｂを突出させて第２中間ブーム４ｄを下部ブーム４ａから突出させつつ、ワイヤ・チェーンを巻き取ることで、第１中間ブーム４ｃを第２中間ブーム４ｄから突出させるとともに、上部ブーム４ｂを第１中間ブーム４ｃから突出させることができる。図２には、上部ブーム４ｂ、第１および第２中間ブーム４ｃ,４ｄを下部ブーム４ａから突出することで、支柱４を最も伸ばした状態が示されているが、上部ブーム４ｂ、第１および第２中間ブーム４ｃ,４ｄの突出量（突出長）を増減変更することで、ニーズに応じて支柱４を矢印Ｓ１,Ｓ２方向に伸縮させることができる。
【００２８】
＜照明装置６について＞
照明装置６は、例えばトンネル工事や夜間の街中工事などの工事現場はじめ、駐車場や運動場、イベント会場などにおいて、最適な照明を行うことが可能なものであれば、既存の電球や水銀灯などを照明装置として適用することができるが、ここでは一例として、ＬＥＤ（発光ダイオード）を用いた照明装置６を想定する。
【００２９】
この場合、照明装置６は、複数灯のＬＥＤライト６Ｌと、これらのＬＥＤライト６Ｌを旋回・揺動可能に支持する支持機構とを備えており、支持機構は、上記した支柱４の上部ブーム４ｂの先端に取り付けられている。この場合、複数灯のＬＥＤライト６Ｌは、複数のＬＥＤ素子（図示しない）から成る１つのＬＥＤライト６Ｌを複数灯配列して構成することができる。図面には一例として、縦方向に配列させた６灯のＬＥＤライト６Ｌを横方向に並列させた１２灯式ＬＥＤライト６Ｌが示されている。
【００３０】
また、支持機構は、各ＬＥＤライト６Ｌの発光面（照明装置６の発光面とも言う）を同一平面上かつ同一方向に沿って整列させた状態で支持する整列支持フレーム２４と、整列支持フレーム２４を支柱４の上部ブーム４ｂの先端に取り付けるための取付フレーム２６と、整列支持フレーム２４と取付フレーム２６との間に介在されており、一端側が整列支持フレーム２４に対して回転可能に連結され、かつ、他端側が取付フレーム２６に対して回転可能に連結された連結フレーム２８とを備えている。
【００３１】
具体的には、図１(ｂ)および図２に示すように、連結フレーム２８の一端側において、当該連結フレーム２８と整列支持フレーム２４とは、１つの第１回転軸Ａｘ１を中心に矢印Ｒ１方向に沿って回転可能に連結されており、一方、連結フレーム２８の他端側において、当該連結フレーム２８と取付フレーム２６とは、１つの第２回転軸Ａｘ２を中心に矢印Ｒ２方向に沿って回転可能に連結されている。なお、第１回転軸Ａｘ１と第２回転軸Ａｘ２とは、互いに直交する位置関係を成している。
【００３２】
この場合、それぞれの回転動作は、既存のアクチュエータによって実現させることができるが、図面にはアクチュエータの一例として、第１回転軸Ａｘ１を挟んでその片側における整列支持フレーム２４と連結フレーム２８とに亘って第１シリンダ３０が設けられているとともに、第２回転軸Ａｘ２を挟んでその片側における上部ブーム４ｂと連結フレーム２８とに亘って第２シリンダ３２が設けられている。
【００３３】
ここで、第１シリンダ３０を伸縮させると、連結フレーム２８に対して整列支持フレーム２４を第１回転軸Ａｘ１を中心に矢印Ｒ１方向に沿って回転させることができ、これにより、各ＬＥＤライト６Ｌの発光面を所望方向に回転させることができる。また、第２シリンダ３２を伸縮させると、取付フレーム２６（すなわち、当該取付フレーム２６が取り付けられた上部ブーム４ｂ）に対して連結フレーム２８を第２回転軸Ａｘ２を中心に矢印Ｒ２方向に沿って回転させることで、当該連結フレーム２８に連結された整列支持フレーム２４を同方向に回転させることができ、これにより、各ＬＥＤライト６Ｌの発光面を所望方向に回転させることができる。
【００３４】
かかる支持機構によれば、各ＬＥＤライト６Ｌの発光面を矢印Ｒ１方向あるいは矢印Ｒ２方向に回転させるだけでなく、例えば、第１シリンダ３０を伸縮させて整列支持フレーム２４を第１回転軸Ａｘ１を中心に矢印Ｒ１方向に沿って回転させつつ、同時に、第２シリンダ３２を伸縮させて整列支持フレーム２４を第２回転軸Ａｘ２を中心に矢印Ｒ２方向に沿って回転させることで、各ＬＥＤライト６Ｌの発光面を所望方向に旋回および揺動させることができる。これにより、当該各ＬＥＤライト６Ｌの発光方向を所望角度に調整することができる。
【００３５】
なお、第１および第２シリンダ３０,３２の構成は、上記した起伏シリンダ１４（伸縮シリンダ１６）と同様であるため、その詳細な説明は省略する。また、これら第１および第２シリンダ３０,３２の伸縮制御についても、上記した起伏シリンダ１４（伸縮シリンダ１６）の場合と同様に、後述する操作パネルＰを操作することによって行われる。さらに、各ＬＥＤライト６Ｌは、その明るさを複数段階に調整することが可能であり、かかる明るさ調整も、後述する操作パネルＰを操作することによって行われる。
【００３６】
＜投光機の構造について＞
図１〜図２に示すように、本実施形態の投光機は、上記した支柱４を起伏および伸縮させる際に要する電力のみならず、上記した照明装置６を発光させる際に要する電力をも発生させるバッテリＥと、バッテリＥの蓄電量が低下した際に、自動的に始動してバッテリＥを充電する発電機Ｖとを有している。
【００３７】
さらに、本実施形態の投光機は、基台２上において、発電機ＶとバッテリＥとを互いに並列させて配置し、かつ、相対的に高低差を持たせた構造とすることで、その高低差に応じて構成される凹所領域３４を有している。
【００３８】
この場合、凹所領域３４は、発電機ＶおよびバッテリＥの形状や大きさを含めた配置構成、並びに、発電機ＶとバッテリＥとの高低差の程度によって増減変更させることができるが、少なくとも照明装置６の全体が凹所領域３４内に収容可能となるように設計することが好ましい。なお、図面では一例として、発電機ＶよりもバッテリＥの高さを低くして当該凹所領域３４を設計した構造が示されている。
【００３９】
かかる構造によれば、支柱４を最も縮めて基台２に沿って伏せた姿勢とした状態において（図１(ａ),(ｂ)参照）、当該凹所領域３４に照明装置６が収容されることで、基台２と伏せた姿勢の支柱４との間の領域内に沿って、照明装置６、発電機Ｖ、バッテリＥを介在させることが可能となる。
【００４０】
これにより、投光機全体の輪郭（具体的には、基台２に対して垂直方向の輪郭）を従来に比べて大幅にコンパクト化（小型化）させることができるため、当該投光機の搬送および保管に際し、従来のように大型の搬送車両および広範な保管場所が必要となることはない。その結果、投光機自体のコンパクト化（小型化）が実現されることで、搬送および保管に要するコストの上昇を大幅に抑えることができ、低コスト化を図ることができる。
【００４１】
さらに、上記の構造によれば、支柱４を最も縮めて基台２に沿って伏せた姿勢とした際に、凹所領域３４に照明装置６が収容された状態において、当該照明装置６の発光面は、外部に露出することなく、かつ、基台２側に向けて位置付けられる。なお、図面では一例として、照明装置６の発光面が基台２上のバッテリＥに対向して位置付けられた場合が示されている。
【００４２】
これにより、照明装置６の発光面が外部に対して晒された状態とならないため、当該照明装置６の発光面に外的負荷がダイレクトに作用するのを防止することができる。例えば投光機の搬送および保管に際し、従来のように発光面が他の部位（部材）に接触するといった不具合の発生を未然に防止することができる。このため、照明装置６の早期劣化を防止することが可能となり、その結果、当該投光機を長期に亘って連続して使用し続けることができる。
【００４３】
また、本実施形態の投光機では、ＬＥＤ（発光ダイオード）を用いた照明装置６としたことで、例えば発電機などのエンジンを稼働させて照明装置から発光させるエンジン投光機に比べて、省エネ化のニーズにも十分応えることができる。この場合、バッテリＥの蓄電量が低下した際、発電機Ｖが自動的に始動してバッテリＥを充電するため、バッテリＥは常にフル充電状態となり、その結果、ニーズに応じた最適な照明を長時間に亘って連続して行うことができる。
【００４４】
さらに、本実施形態の投光機は、バッテリＥから発生した電力を照明装置６に供給するためのケーブル（図示しない）を巻回して保持するリール３６を有しており、当該リール３６は、その全体が、基台２と伏せた姿勢の支柱４との間の領域内に位置付けられるように、支柱４に対して回転可能に取り付けられている。なお、図面には一例として、支柱４（具体的には、下部ブーム４ａ）の側面に対して、所定の支持部材３８を介して回転可能に取り付けられている。
【００４５】
かかる構造によれば、支柱４を最も縮めて基台２に沿って伏せた姿勢とした状態において（図１(ａ),(ｂ)参照）、基台２と伏せた姿勢の支柱４との間の領域内に沿って、リール３６とともに、照明装置６、発電機Ｖ、バッテリＥを介在させることができるため、投光機全体の輪郭（具体的には、基台２に対して垂直方向の輪郭）を従来に比べて大幅にコンパクト化（小型化）させることができる。
【００４６】
また、本実施形態の投光機は、支柱４を最も縮めて基台２に沿って伏せた姿勢とした際に、凹所領域３４に照明装置６が収容された状態において、その状態で当該支柱４の姿勢を保持するための保持台４０を有しており、当該保持台４０は、発電機ＶとバッテリＥとの間の基台２上に配設されている。この場合、支柱４の先端寄り（具体的には、下部ブーム４ａの先端寄り）の部位を下側から支えることができるように、保持台４０を構成配置することが好ましい。
【００４７】
かかる構造によれば、支柱４を最も縮めて基台２に沿って伏せた姿勢において、当該支柱４は、回転軸８を支点とした肩持ち梁状態となり、この状態では、支柱４の先端４ｔに設けられた照明装置６の重量による影響が回転軸８に直接作用することとなり、当該回転軸８が早期に劣化して、その結果、支柱４を回転軸８の回転中心Ａｘ３回りに矢印Ｔ１,Ｔ２方向に安定的に旋回させることが困難になってしまう虞がある。
【００４８】
しかしながら、上記した保持台４０を設けることで、支柱４の先端寄りの部位を下側から支えることができ、これにより、回転軸８に対する照明装置６の重量による影響を低減させることができるため、回転軸８の早期劣化を防止することが可能となり、その結果、長期に亘って、支柱４を回転軸８の回転中心Ａｘ３回りに矢印Ｔ１,Ｔ２方向に安定的に旋回させることができる。
【００４９】
さらに、本実施形態の投光機は、上記した支柱４を起伏および伸縮させる際の操作、並びに、照明装置６を発光させる際の操作を行うための操作パネルＰを有しており、当該操作パネルＰは、投光機を搬送車両に搭載した状態で操作可能な位置に設けられている。なお、図面では一例として、基台２寄りの側面に操作パネルＰが配置されている。
【００５０】
かかる構造によれば、搬送車両に搭載させた状態で投光機を使用せざるを得ない場合も想定されるが、そのような場合でも、当該投光機を搬送車両に搭載した状態で、操作パネルＰを操作することができるため、使用環境に制限されることなく、多様なニーズに応じた最適な照明を行うことが可能となる。
【００５１】
なお、基台２上に、投光機を吊り下げるための吊下用フック４２が設けることが好ましい。これにより、投光機を移動させて所定位置に設置したり、或いは、搬送車両に搭載することを容易にすることができる。また、操作パネルＰには、カバーを設けることが好ましい。これにより、操作パネルＰに対する防水および防塵を図ることができる。
【符号の説明】
【００５２】
２  基台
４  支柱
６  照明装置
３４  凹所領域
３６  リール
Ｅ  バッテリ
Ｖ  発電機
【図１】
0003189159.tif 000003
【図２】
0003189159.tif 000004